(57)【特許請求の範囲】
【請求項１】
上面に設けられた水筒装着部および前面に設けられた排出コックを備えるハウジングと、前記ハウジング内の水筒の下側に配置された冷水タンクおよび温水タンクとを含んでなる冷温水機において、
底面と蓋を含むケース形状の上面のビニール容器型水筒装着部、および前面に設けられた排出コックを備えるハウジングと、
前記ハウジング内の水筒の下側に配置され、前記コックが連結された冷水タンクと、
前記水筒装着部の底部に固定され、上端部が上側の前記水筒に侵入して上側の前記水筒と下側の前記冷水タンクとの間に直接流路を形成するパイプ型侵入ピンと、
一端が前記冷水タンクの内部の上側に連通し、他端が外部に延びてエアが排出されるパイプライン、および前記ラインの他端側に設置され、前記冷水タンクの内部空気の排出は許容し且つ外部空気の流入は遮断する逆止弁からなるエアベント部とを含み、
前記逆止弁は、
前記ラインの他端側に連通する弁ハウジングと、
前記弁ハウジングの内部に配置され、自重および排出空気圧によって前記他端を閉鎖および開放する弁要素とを含み、
前記弁ハウジングが前記水筒装着部内の一側に配置されていることを特徴とする、エアベント手段を有する冷温水機。
【請求項２】
前記エアベント部は、前記ラインの前記冷水タンク側の端部が、少なくとも前記冷水タンクに貯留された水の水面に浸からないように設計されたことを特徴とする、請求項１に記載のエアベント手段を有する冷温水機。
【請求項３】
前記エアベント部は、前記ラインの他端が、前記水筒装着部に装着された前記水筒内の水の最高水位と比較して同じ或いは高い位置に配置されるように設計されたことを特徴とする、請求項１に記載のエアベント手段を有する冷温水機。
【請求項４】
前記弁要素がチェックボールまたはチェック板であることを特徴とする、請求項１に記載のエアベント手段を有する冷温水機。
【請求項５】
前記冷温水機は、
前記水筒の装着のためのガイド部をさらに含み、
前記ガイド部は、
前記水筒装着部の側壁の内面に垂直方向に形成され、少なくとも前記侵入ピンに比べて高く突設された複数の対向ガイド突起と、
前記突起の上端に横方向スライド移動可能に据え置かれ、縁部にガイド突起に対応する溝が設けられ、中央には侵入ピンに対応するホールが設けられ、ロッキングが解除されると移動して前記ガイド突起に沿って下降し、この際、前記侵入ピンが中央ホールから突出する据置台と、
前記据置台に対するロッキングおよび解除を行うためのスイッチボタンを備え、前記水筒装着部の一側壁に設置されるロッキング部とを含んでなることを特徴とする、請求項１に記載のエアベント手段を有する冷温水機。
【請求項６】
前記ロッキング部は、前記据置台の一端部を掛止するフックと、前記フックを操作して固定を解除する弾性作動スイッチボタンとから構成されたことを特徴とする、請求項５に記載のエアベント手段を有する冷温水機。
【請求項７】
前記据置台の円滑なスライド移動のために、前記溝の周辺には前記突起の上端に接触する傾斜面が形成されたことを特徴とする、請求項５に記載のエアベント手段を有する冷温水機。
【発明の詳細な説明】
【技術分野】
【０００１】
本発明は、冷温水機に係り、特に、タンク内部の空気が自然に外部へ排出(air-vent)されるようにすることにより、水の供給が円滑に行われるようにした冷温水機に関する。
【背景技術】
【０００２】
冷温水機は、通常の飲用水をクールおよびヒート処理して貯留することにより、必要に応じて冷水または温水として出力して飲用することができるようにした装置である。上水源の汚染などにより、浄水処理された水、いわゆる生水の飲用が一般化されるにつれて冷温水機が広く普及し、主に事務室や食堂で使用されてきたものの、最近では家庭でも多く使用されている。
【０００３】
図１および図２を参照すると、一般に、冷温水機は、室内の床に立設され、上面に穿設され水供給ホール４および前面に固定された２つのコック(cock)５、６を備えるハウジング１と、前記ハウジング１の内部に配置される水タンクとを含んでなり、前記水タンクは冷水タンク２および温水タンク３から構成されている。
【０００４】
前記冷水タンク２は、ホール４の下部に配置され、ホールと直接連通しており、表面には冷却コイル７が数回巻き付けられている。また、前記温水タンク３は、冷水タンク２の下部に配置され、冷水タンク２の内側に深く延在している連結管９によって連通しており、内部には電熱ヒータ８が設置される。前記コック５、６が冷水タンク２および温水タンク３にそれぞれ連結されている。
【０００５】
別途供給された貯水筒Ｂが前記ハウジング１の上側のホール４に倒立状態で着脱可能に装着される。この水は、前記ホール４を介してまず冷水タンク２へ供給された後、引きつづき冷水タンク２の水位が連結管９の終端を越えながら、温水タンク３へ供給される。こうして温水タンク３が満水になると、冷水タンク２の水位がさらに上昇し、水の供給は中断される。この状態で冷却コイル７および電熱ヒータ８が動作するので、前記コック５、６を開放すると、冷水または温水が出力されるのである。
【０００６】
前述した構造の冷温水機には、初めに貯水筒Ｂを装着するとき或いは使用途中で空気が貯水筒の内部で上昇しながら大きな音と共に衝撃および振動が発生することを経験する。これは実際に水タンク、特に冷水タンク２内に空気圧が形成されているためである。
【０００７】
前述した冷水タンク２内の空気圧は、貯水筒の取り替えのために貯水筒を分離および装着するときや、水の残量や温度、外部環境などが変化するとき、連続して繰り返し使用するときなどに主に発生および上昇するが、これは当然、水の自然な供給や水質環境、冷温水機の安全などに有害な要素となっている。また、貯水筒上部の空気圧の上昇または水の異常供給を伴い、結果としてオーバーフローを引き起こすこともある。
【０００８】
かかる問題に関連して、韓国実用新案登録第２８１０９４号、韓国特許公開第２００３−６２８４５号、韓国特許第１２１４２１２号などには、冷水タンク内の水のオーバーフローを防止する逆止弁を備える冷温水機が開示されており、特に、韓国特許第１２５２２４０号には、実際空気圧力の上昇により逆流した水を別途貯水する補助タンクを備える冷温水機が開示されている。
【０００９】
これらの例は、水のオーバーフローの防止に効果があるが、もともと空気の量および空気圧の上昇を抑える根本的な解決策を提示してはいない。
【００１０】
一方、これらの例は、構造的に堅固な筒状の貯水筒Ｂを使用する場合には適用が可能であるが、最近その代用として挙げられているビニール容器の場合には事実上適用が不可能である。実際、柔軟素材のビニール容器は、その内部が出来る限り真空状態に維持されなければならず、逆に空気が内部に満ちてくるとビニール容器の封止が難しくなり、それにより漏水が発生し易いためである。
【００１１】
韓国特許第１２１５４１９号には、このようなビニール容器の漏水を防止するために、ビニール容器の吐出口を上側に備え、その内部の水をポンピング(pumping)して供給するようにした冷温水機が開示されている。ところが、この場合、冷温水機の構造および設計が複雑になるのは当たり前である。よって、その実効性に相当問題があると判断する。
【発明の概要】
【発明が解決しようとする課題】
【００１２】
本発明は、上述した従来の技術の問題または限界を克服するために提案されたもので、その目的は、冷水タンク内の空気または空気圧が自然に排出および除去されるようにすることにより、水の供給および管理が円滑に行われるようにした冷温水機、すなわち、エアベント手段を有する冷温水機を提供することにある。
【課題を解決するための手段】
【００１３】
本発明の冷温水機は、上面に設けられた水筒装着部、および前面に設けられた排出コックを備えるハウジングと、前記ハウジング内の水筒の下側に配置された冷水タンクおよび温水タンクとを含む通常の冷温水機を基盤として、エアベント手段を備えるように設計される。
さらに具体的に、本発明の冷温水機は、
上面に設けられた水筒装着部、および前面に設けられた排出コックを備えるハウジングと、
前記ハウジング内の水筒の下側に配置され、前記コックが連結された冷水タンクと、
前記水筒装着部の底面に固定され、上端部が上側の水筒に侵入して上側の水筒と下側の冷水タンクとの間に直接流路を形成するパイプ型侵入ピンと、
一端が前記冷水タンクの内部の上側に連通し、他端が外部へ延びたパイプライン、および前記ラインの他端側に設置され、冷水タンクの内部空気の排出は許容し且つ外部空気の流入は遮断する逆止弁からなるエアベント部とを含んでなる。
ここで、前記水筒はビニール容器である。
好ましくは、前記エアベント部は、前記パイプラインの他端が、少なくとも水筒装着部に装着された水筒内の水の最高水位と比較して同じ或いは高い位置に配置されるように設計される。
前記逆止弁は、
前記ラインの他端側に連通する弁ハウジングと、
前記弁ハウジングの内部に配置され、自重および排出空気圧によって前記他端を閉鎖および開放する弁要素とを含んでなる。
実施例によって、前記弁要素はチェックボールまたはチェック板である。
一方、本発明の冷温水機は、水筒の安全な装着のためのガイド部をさらに含み、前記ガイド部は、
前記装着部の側壁の内面に垂直方向に設けられ、少なくとも侵入ピンに比べて高く突設された複数の対向ガイド突起と、
前記突起の上端に横方向スライド移動可能に据え置かれ、縁部にガイド突起に対応する溝が設けられ、中央には侵入ピンに対応するホールが設けられ、ロッキングが解除されると移動してガイド突起に沿って下降し、この際、侵入ピンが中央ホールから突出する据置台と、
前記据置台に対するロッキングおよび解除を行うためのスイッチボタンを備え、装着部の一側壁に設置されるロッキング部とを含んでなる。
【発明の効果】
【００１４】
本発明の冷温水機は、ハウジング内の冷水タンクに連通して備えられるエアベント部を含んでなる。前記エアベント部は、空気圧によって開放され、内部空気が外部へ排出されるようにする。これにより、冷水タンク内の不要な空気または空気圧は、特に操作しなくても、自然に冷温水機の外部へ排出されて除去される。よって、水の供給および管理が円滑に行われるという効果がある。
また、本発明の冷温水機は、前記ガイド部の構成によって水筒の安全な装着が可能となるという効果がある。
【図面の簡単な説明】
【００１５】
【図１】従来の冷温水機の斜視図である。
【図２】図１の主要部分の断面図である。
【図３】本発明に係る冷温水機の断面図である。
【図４】図３の作用を説明するための図である。
【図５】図３のガイド部部分を説明するための図である。
【図６】図５の動作を説明するための図である。
【図７】図５の‘Ａ’部分の断面図である。
【発明を実施するための形態】
【００１６】
上述した或いは上述していない本発明のエアベント手段を有する冷温水機（以下、「冷温水機」という）の特徴および効果は、添付図面を参照して後述する実施例の記載からさらに明白になるであろう。図３以下において、本発明に係る冷温水機が符号１０で表示されている。
【００１７】
図３および図４を参照すると、本発明に係る冷温水機１０は、上面に設けられた水筒装着部１２、および前面に設けられた排出コック１３ａ、１３ｂを備えるハウジング１１と、前記ハウジング１１内の水筒Ｗの下側に配置された冷水タンク１４および温水タンク１５とを含んでなる通常の冷温水機を基盤として、不要な内部空気を排出させるエアベント手段、および別途提供された水筒Ｗをガイドする手段を備えるように設計される。
【００１８】
具体的に、前記ハウジング１１は、上面の水筒装着部１２を備える。本実施例において、前記水筒装着部１２は、底面１６と、前記底面の縁部から上方に延設された側壁１６ａと、側壁１６ａの内部空間をカバーする蓋１７とを含むケース形状に構成される。もし、本実施例に適用される水筒Ｗが堅固な筒状の貯水筒（いわゆる生水筒）であれば、このような形状が必ずしも適するとは言えない。ところが、本発明は、実際に水筒Ｗへの自由な変形が可能なビニール容器が適用される場合に最適となるように設計されたもので、この場合、前述したケース形状の構造が適すると判断される。勿論、具体的な形状は必要に応じて変更できる。
【００１９】
前記冷水タンク１４は、ハウジング１１の内部に水筒Ｗの下側に配置されており、その表面には冷却コイルが数回巻き付けられている。前記温水タンク１５は、冷水タンク１４の下部に配置され、冷水タンク１４の内側に深く延在している連結管１８によって冷水タンクと連通しており、内部には電熱ヒータ１９が設置されている。前記コック１３ａ、１３ｂが冷水タンク１４および温水タンク１５にそれぞれ連結されている。
【００２０】
ここで、前記水筒Ｗと冷水タンク１４とはパイプ型侵入ピン２０によって連通する。具体的に、前記侵入ピン２０は、水筒装着部１２の底面１６から突出する状態で固定され、上端部が上側の水筒Ｗに侵入して上側の水筒Ｗと下側の冷水タンク１４との間に直接流路を形成する手段である。図面において、符号２１は前記流路を形成するために侵入ピン２０の一側に穿設された通孔を示す。
【００２１】
特徴的に、本発明の冷温水機１０は、エアベント部３０を含んでなる。具体的に、前記エアベント部３０は、一端３１ａが前記冷水タンク１４の内部の上側と連通し、他端３１ｂが外部へ延在しているパイプライン３１と、前記ライン３１の他端側に設置され、冷水タンクの内部空気の排出は許容し且つ外部空気の流入は遮断する逆止弁３２とから構成される。
【００２２】
好ましくは、前記エアベント部３０は、前記ライン３１の冷水タンク１４側の端部３１ａが、少なくとも冷水タンク１４に貯留された水の水面に浸からないように設計される一方、前記ライン３１の他端３１ｂが、少なくとも水筒装着部１２に装着された水筒Ｗ内の水の最高水位と同一またはそれより高い位置に配置されるように設計される。これは、エアベントを円滑にするのはもとより、水や水蒸気のオーバーフロー(over-flow)を出来る限り抑えるのに効果的である。
【００２３】
さらに具体的に、前記逆止弁３２は、前記ライン３１の他端３１ｂ側に連通する弁ハウジング３３と、前記弁ハウジング３３の内部に配置され、自重および排出空気圧によって前記他端３１ｂを閉鎖および開放する弁要素３４とを含んでなる。本実施例において、前記弁要素３４はチェックボールであるが、設計によってはチェック板であってもよい。
【００２４】
図面の如く、前記弁ハウジング３３は、蓋１７でカバーされる水筒装着部１２内の一側に配置される。これはエアベント部３０の保護および構造的安定のために設計されたもので、たとえば、前記エアベント部３０を介して水や水蒸気が排出される場合にその水が室内の床に落下せず、前記水筒装着部１２の内部に溜まるようにすることで、その処置が容易に行われるようにすることに効果的である。
【００２５】
図５および図６を参照すると、本発明の冷温水機１０は、水筒Ｗの安全な装着のための手段としてガイド部４０をさらに含んでなる。具体的に、前記ガイド部４０は、前記装着部１２の側壁１６ａの内面に垂直方向に形成され、少なくとも侵入ピン２０に比べて高く突設された複数の対向ガイド突起４１と、前記突起４１の上端に横方向スライド移動可能に据え置かれ、縁部にガイド突起４１に対応する溝４２が設けられ、中央には侵入ピン２０に対応するホール４３が穿設され、ロッキングが解除されると移動してガイド突起４１に沿って下降し、この際、侵入ピン２０が中央ホール４３から突出する据置台４４と、前記据置台４４に対するロッキングおよび解除を行うためのスイッチボタン４７を含んで、水筒装着部１２の一側壁１６ｂに設置されるロッキング部４５とから構成される。
【００２６】
前記据置台４４の円滑なスライド移動のために、ガイド突起４１の上端にローラー４６を設置することもでき、前記溝４２の周辺には前記突起４１の上端またはローラー４６に接触する傾斜面（図７の符号４９参照）を形成することもできる。さらに具体的に、前記ロッキング部４５は、据置台４４の一端部を掛止するフック４８と、前記フック４８を操作して固定を解除する弾性作動スイッチボタン４７とから構成される。
0005907438.tif 000002
【００２７】
その後、水筒Ｗの水は、水筒Ｗを貫通して配置される侵入ピン２０の通孔２１を介してまず冷水タンク１４へ供給され、継続的な供給によって冷水タンク１４の水位が連結管１８の終端を超えて温水タンク１５へ供給される。そうして温水タンク１５が満水になると、冷水タンク１４の水位がさらに上昇し、もはや水の供給は中断される。
この状態で冷却コイルと電熱ヒータ１９が作動しているので、ユーザが前記コック１３ａ、１３ｂを開放すると、冷水または温水が出力されるのである。
【００２８】
一方、水筒Ｗが提供される前に、冷水タンク１４の内部は外部空気に露出または開放されており、これにより外部空気が入っている。そうして水筒Ｗが前記ハウジング１１の上側の水筒装着部１２に提供されると、冷水タンク１４の内部に空気が満ちた状態となる。この状態で水が供給されるが、この際、空気圧および空気抵抗が発生する。本発明において、この空気圧および抵抗は、前記エアベント部３０を介して空気が排出されることにより自然に解除される。
0005907438.tif 000003
【００２９】
もし上述のエアベントの際に少量の水や水蒸気が排出されるとしても、その水は水筒装着部１２の底面１６に溜まることになる。よって、冷温水機１０の周辺に水が飛散するおそれがなく、その排出された水は処置が簡便である。
0005907438.tif 000004
【００３０】
前述したエアベント部３０を用いた空気排出方式は、水筒Ｗがハウジング１１の上側の水筒装着部１２に提供されるときだけでなく、使用中に冷水タンク１４に空気が流入する場合にもいつも有効に作動する。よって、何時でも安定的に冷温水機１０を使用することができるという利点がある。
【符号の説明】
【００３１】
１０    冷温水機
１１    ハウジング
１２    水筒装着部
１３ａ    コック
１３ｂ    コック
１４    冷水タンク
１５    温水タンク
１６    底面
１６ａ    側壁
１６ｂ    側壁
１７    蓋
１８    連結管
１９    電熱ヒータ
２０    侵入ピン
２１    通孔
３０    エアベント部
３１    パイプライン
３２    逆止弁
３３    弁ハウジング
３４    弁要素
４０    ガイド部
４１    ガイド突起
４２    溝
４３    ホール
４４    据置台
４５    ロッキング部
４６    ローラー
４７    スイッチボタン
４８    フック
４９    傾斜面
Ｗ    水筒
【要約】      （修正有）【課題】冷水タンク内の空気または空気圧が自然に排出および除去されるようにすることにより、水の供給および管理が円滑に行われるようにした、エアベント手段を有する冷温水機を提供する。【解決手段】エアベント部３０は、一端が前記冷水タンク１４の内部上側に連通し、他端が外部へ延びたパイプライン３１と、前記ラインの他端側に設置され、冷水タンクの内部空気の排出は許容し且つ外部空気の流入は遮断する逆止弁３２とから構成される。【選択図】図４【図１】
0005907438.tif 000005
【図２】
0005907438.tif 000006
【図３】
0005907438.tif 000007
【図４】
0005907438.tif 000008
【図５】
0005907438.tif 000009
【図６】
0005907438.tif 000010
【図７】
0005907438.tif 000011